(57)【要約】【課題】清掃部材を支持する支持部材が往復移動する際、支持部材による支持を確実に行うことができる帯電器を提供する。【解決手段】帯電器は、所定方向に延設される放電ワイヤと、放電ワイヤと対向するグリッド電極と、放電ワイヤとグリッド電極とを支持するフレームと、グリッド電極の清掃手段とを備える。清掃手段は、清掃部材（フィルム２３０）と、清掃部材を支持するため延設方向の一方側に向いた第１係合面２１５を有し、延設方向に往復移動可能な支持部材２１０と、支持部材２１０の第１係合面２１５との間で清掃部材を挟持する挟持部材（板状スポンジ２４０）とを備える。支持部材は、第１係合面から他方側に向いた面へと通じる開口部２１８と、第１係合面よりも他方側に位置し、開口部を通った清掃部材の一部（係合部２３３）が係合する第２係合面２１９とを有する。【選択図】図７
2011137948.tif 000002
【特許請求の範囲】
【請求項１】
所定方向に沿って延設される放電ワイヤと、
前記放電ワイヤの延設方向に沿って延び、前記放電ワイヤと対向するグリッド電極と、
前記放電ワイヤと前記グリッド電極とを支持するフレームと、
を備える帯電器であって、
フィルム状の清掃部材と、
前記清掃部材を支持するため前記延設方向の一方側に向いた第１係合面を有し、前記延設方向に往復移動可能な支持部材と、
前記支持部材の前記第１係合面との間で前記清掃部材を挟持する挟持部材と、を備え、
前記清掃部材は、前記グリッド電極と摺接する先端部と、前記支持部材の前記第１係合面に支持される被支持部と、前記支持部材における前記延設方向の他方側に向いた面に回り込む係合部とを有し、
前記支持部材は、前記第１係合面から前記他方側に向いた面へと通じる開口部と、前記第１係合面よりも前記他方側に位置し、前記開口部を通った前記係合部が係合する第２係合面とを有することを特徴とする帯電器。
【請求項２】
前記係合部は、弾性変形した状態で前記第２係合面に係合することで、前記開口部から前記他方側に出た部分が、前記第２係合面に向けて付勢されることを特徴とする請求項１に記載の帯電器。
【請求項３】
前記係合部の幅は、前記支持部材の前記開口部の幅よりも小さいことを特徴とする請求項１または請求項２に記載の帯電器。
【請求項４】
前記支持部材は、前記清掃部材を先端部側から見て湾曲させた状態で支持するため、前記第１係合面に凹部を有することを特徴とする請求項１から請求項３のいずれか一項に記載の帯電器。
【請求項５】
前記係合部に係合孔を設け、前記係合孔に嵌合する突起を前記支持部材の前記他方側に向いた面に設けたことを特徴とする請求項１から請求項４のいずれか一項に記載の帯電器。
【請求項６】
前記挟持部材は、前記放電ワイヤに対して前記延設方向に摺接する摺接部材であることを特徴とする請求項１から請求項５のいずれか一項に記載の帯電器。
【発明の詳細な説明】
【技術分野】
【０００１】
本発明は、グリッド電極を清掃するフィルム状の清掃部材を備えた帯電器に関する。
【背景技術】
【０００２】
従来、帯電器として、感光ドラムの軸方向に延びる放電ワイヤと、放電ワイヤと感光ドラムとの間に配置されるグリッド電極（対向電極）と、グリッド電極に摺接して清掃する清掃手段とを備えるものが知られている。
清掃手段としては、グリッド電極の延設方向に往復移動する保持部材と、保持部材に支持されてグリッド電極と摺接するフィルム状の清掃部材を備えるものが知られている（例えば、特許文献１参照）。
【先行技術文献】
【特許文献】
【０００３】
【特許文献１】特開２００１−１３７６５号公報（図５）
【発明の概要】
【発明が解決しようとする課題】
【０００４】
しかしながら、特許文献１に開示された清掃手段は、保持部材に清掃部材を固着しているので、清掃手段を組み立てる際には、接着剤が硬化するのを待つ必要があるなど、組み立てに時間がかかっていた。
【０００５】
そこで、出願人は、特願２００９−１２０６１８号において、グリッド電極と接触するフィルムと、フィルムを斜めに支持し、グリッド電極の延設方向に往復移動する支持部材と、支持部材との間でフィルムを挟持するとともに、支持部材の往復移動により放電ワイヤを清掃する板状スポンジと、を備えた清掃手段について言及している。
このような清掃手段によると、板状スポンジが支持部材から延びる突起に係合され、フィルムが板状スポンジと支持部材との間で挟持されることで支持部材に固定されるので、接着剤を使用せずに清掃手段を支持部材に支持させることが可能となる。
【０００６】
しかしながら、このような清掃手段では、支持部材を往復移動させると、板状スポンジが放電ワイヤとの摺接による抵抗を受け、フィルムがグリッド電極との摺接による抵抗を受けるので、板状スポンジおよびフィルムには支持部材との係合が外れるような力（以下、係合解除力という）が作用することになる。
支持部材がグリッド電極の延設方向に沿って往動、すなわちフィルムの先端でグリッド電極の異物を掻き取る方向に移動する場合には、摺動抵抗によりフィルムが支持部材側へ相対的に移動しようとするのを支持部材のフィルム支持面が押さえるので、フィルムは脱落することなく円滑に摺動する。
一方、支持部材が延設方向に沿って復動する場合には、フィルムに係合解除力が作用し、フィルムおよび板状スポンジが脱落する虞があった。
【０００７】
そこで、本発明は、フィルム状の清掃部材を支持する支持部材が往復移動する際、往動と復動のいずれの場合にも、支持部材による支持を確実に行うことができる帯電器を提供することを目的とする。
【課題を解決するための手段】
【０００８】
前記課題を解決する本発明は、所定方向に沿って延設される放電ワイヤと、前記放電ワイヤの延設方向に沿って延び、前記放電ワイヤと対向するグリッド電極と、前記放電ワイヤと前記グリッド電極とを支持するフレームと、を備える帯電器であって、フィルム状の清掃部材と、前記清掃部材を支持するため前記延設方向の一方側に向いた第１係合面を有し、前記延設方向に往復移動可能な支持部材と、前記支持部材の前記第１係合面との間で前記清掃部材を挟持する挟持部材と、を備え、前記清掃部材は、前記グリッド電極と摺接する先端部と、前記支持部材の前記第１係合面に支持される被支持部と、前記支持部材における前記延設方向の他方側に向いた面に回り込む係合部とを有し、前記支持部材は、前記第１係合面から前記他方側に向いた面へと通じる開口部と、前記第１係合面よりも前記他方側に位置し、前記開口部を通った前記係合部が係合する第２係合面とを有することを特徴とする。
【０００９】
本発明によれば、支持部材がフィルム状の清掃部材の被支持部を支持する第１係合面を有し、挟持部材との間で清掃部材を挟持するので、支持部材の往動時には、フィルムの支持部材側への相対的な移動が第１係合面により押さえられる。一方、支持部材の復動時には、支持部材の開口部を通り、第１係合面とは反対側を向いた面に回り込んだ清掃部材の係合部が第２係合面と係合するので、清掃部材に作用する係合解除力に抵抗することが可能となる。したがって、支持部材の往動時と復動時のいずれの場合にも、支持部材が清掃部材を確実に支持し、清掃部材によるグリッド電極の円滑な清掃が可能となる。
【発明の効果】
【００１０】
本発明によれば、支持部材が往復移動する際、往動と復動のいずれの場合にも、清掃部材が支持部材に確実に支持され、グリッド電極の円滑な清掃が可能となる。
【図面の簡単な説明】
【００１１】
【図１】カラープリンタの全体構成を示す断面図である。
【図２】プロセスカートリッジの構成を示す拡大断面図である。
【図３】清掃手段が装着された上側フレームを示す斜視図である。
【図４】清掃手段を示す斜視図である。
【図５】清掃手段を分解して示す分解斜視図である。
【図６】清掃手段を下側から見るとともに、フィルムを第１突起付近で切った断面図として示す説明図である。
【図７】支持部材を第１突起の先端側から見た正面図（ａ）と、フィルムを示す平面図（ｂ）と、フィルムを取り付けた支持部材の側断面図（ｃ）である。
【図８】清掃手段を上側フレームに取り付けていく状態を示す分解斜視図である。
【図９】放電ワイヤ、対向電極および清掃手段を外した状態の上側フレームを下側から見た下面図（ａ）と、放電ワイヤ、対向電極および清掃手段を取り付けた状態の上側フレームを図９（ａ）のＸ−Ｘ線で切ったＸ−Ｘ断面図（ｂ）である。
【図１０】清掃手段と上側フレームとが当接した状態を示す断面図である。
【発明を実施するための形態】
【００１２】
次に、本発明の一実施形態について、適宜図面を参照しながら詳細に説明する。なお、以下の説明においては、まず、カラープリンタの全体構成を簡単に説明した後、本発明の特徴部分を説明することとする。
【００１３】
以下の説明において、方向は、カラープリンタ使用時のユーザを基準にした方向で説明する。すなわち、図１において、紙面に向かって左側を「前側（手前側）」、紙面に向かって右側を「後側（奥側）」とし、紙面に向かって奥側を「左側」、紙面に向かって手前側を「右側」とする。また、紙面に向かって上下方向を「上下方向」とする。
【００１４】
＜カラープリンタの全体構成＞
図１に示すように、カラープリンタ１は、本体筐体１０内に、用紙Ｐを供給する給紙部２０と、給紙された用紙Ｐに画像を形成する画像形成部３０と、画像が形成された用紙Ｐを排出する排紙部９０とを備えている。
【００１５】
本体筐体１０の上部には開閉自在なアッパーカバー１２が、後側に設けられたヒンジ（図示せず）を支点として上下に回動自在に設けられている。アッパーカバー１２の上面は、本体筐体１０から排出された用紙Ｐを蓄積する排紙トレイ１３となっており、下面には後述する複数のＬＥＤユニット４０を保持する複数の保持部材１４が設けられている。
【００１６】
給紙部２０は、本体筐体１０内の下部に設けられ、本体筐体１０に着脱自在に装着される給紙トレイ２１と、この給紙トレイ２１から用紙Ｐを画像形成部３０へ搬送する用紙供給機構２２を主に備えている。この給紙部２０では、給紙トレイ２１内の用紙Ｐが、用紙供給機構２２によって一枚ずつ分離されて画像形成部３０に供給される。
【００１７】
画像形成部３０は、４つのＬＥＤユニット４０と、４つのプロセスカートリッジ５０と、転写ユニット７０と、定着ユニット８０とから主に構成されている。
【００１８】
プロセスカートリッジ５０は、アッパーカバー１２と給紙部２０との間で前後方向に並んで配置され、図２に示すように、感光体カートリッジ５１と、感光体カートリッジ５１に対して着脱可能な現像カートリッジ６１とを備えている。なお、各プロセスカートリッジ５０は、現像カートリッジ６１のトナー収容室６６に収容されるトナーの色が相違するのみであり、構成は同一である。
【００１９】
感光体カートリッジ５１は、ドラムケース５２と、このドラムケース５２内に収容される感光体の一例としての感光ドラム５３および帯電器５４とを主に備えている。
【００２０】
現像カートリッジ６１は、現像ケース６２と、現像ケース６２内に収容される現像ローラ６３、供給ローラ６４およびブレード組立体６５と、現像ケース６２内に形成されるトナー収容室６６とを有している。
【００２１】
図１に示すように、転写ユニット７０は、給紙部２０と各プロセスカートリッジ５０との間に設けられ、駆動ローラ７１、従動ローラ７２、搬送ベルト７３および転写ローラ７４を主に備えている。
【００２２】
駆動ローラ７１および従動ローラ７２は、前後方向に離間して平行に配置され、その間にエンドレスベルトからなる搬送ベルト７３が張設されている。搬送ベルト７３は、その外側の面が各感光ドラム５３に接している。また、搬送ベルト７３の内側には、各感光ドラム５３との間で搬送ベルト７３を挟持する転写ローラ７４が、各感光ドラム５３に対向して４つ配置されている。この転写ローラ７４には、転写時に定電流制御によって転写バイアスが印加される。
【００２３】
定着ユニット８０は、各プロセスカートリッジ５０および転写ユニット７０の後側に配置され、加熱ローラ８１と、加熱ローラ８１と対向配置され加熱ローラ８１を押圧する加圧ローラ８２とを備えている。
【００２４】
このように構成される画像形成部３０では、まず、各感光ドラム５３の表面が、帯電器５４により一様に帯電された後、各ＬＥＤユニット４０から照射される光により露光される。これにより、露光された部分の電位が下がって、各感光ドラム５３上に画像データに基づく静電潜像が形成される。
【００２５】
また、トナー収容室６６内のトナーが、供給ローラ６４の回転により現像ローラ６３に供給され、現像ローラ６３の回転により現像ローラ６３とブレード組立体６５との間に進入して一定厚さの薄層として現像ローラ６３上に担持される。
【００２６】
現像ローラ６３上に担持されたトナーは、現像ローラ６３が感光ドラム５３に対向して接触するときに、感光ドラム５３上に形成された静電潜像に供給される。これにより、感光ドラム５３上でトナーが選択的に担持されて静電潜像が可視像化され、反転現像によりトナー像が形成される。
【００２７】
そして、搬送ベルト７３上に供給された用紙Ｐが各感光ドラム５３と搬送ベルト７３の内側に配置される各転写ローラ７４との間を通過することで、各感光ドラム５３上に形成されたトナー像が用紙Ｐ上に転写される。用紙Ｐが加熱ローラ８１と加圧ローラ８２との間を通過すると、用紙Ｐ上に転写されたトナー像が熱定着される。
【００２８】
排紙部９０は、定着ユニット８０の出口から上方に向かって延び、手前側に反転するように形成された排紙側搬送経路９１と、用紙Ｐを搬送する複数対の搬送ローラ９２を備えている。トナー像が転写され、熱定着された用紙Ｐは、搬送ローラ９２によって排紙側搬送経路９１を搬送され、本体筐体１０の外部に排出されて排紙トレイ１３に蓄積される。
【００２９】
＜帯電器の構成＞
次に、帯電器５４の構成について詳細に説明する。
図２に示すように、帯電器５４は、前述したドラムケース５２の上側部分を構成するフレームの一例としての上側フレーム１００と、上側フレーム１００に支持される放電ワイヤ１１０および対向電極１２０と、図３に示す清掃手段２００とを備えている。
【００３０】
放電ワイヤ１１０は、感光ドラム５３の軸方向（所定方向）に沿って延設されるワイヤであり、上側フレーム１００に形成される長溝１０１（図３参照）内に配置され、その両端が上側フレーム１００で支持されている。
【００３１】
対向電極１２０は、感光ドラム５３の軸方向に沿って延びて放電ワイヤ１１０と対向するように断面視コ字状に折り曲げられた板状の電極であり、主に、グリッド電極１２１と、一対のシールド電極１２２とを備えている。
【００３２】
グリッド電極１２１は、放電ワイヤ１１０と感光ドラム５３との間に配置される電極であり、コ字状の対向電極１２０の底部に複数のスリットを形成することで複数のワイヤ状に形成されている。
【００３３】
各シールド電極１２２は、感光ドラム５３の移動方向で放電ワイヤ１１０を挟むように対向（位置）するように配置されている。ここで、「感光ドラム５３の移動方向」とは、感光ドラム５３のうちグリッド電極１２１に対向する部位の移動方向（図２では、前斜め上方）をいう。
【００３４】
＜清掃手段の構成＞
図３に示すように、清掃手段２００は、上側フレーム１００の長溝１０１に移動可能に装着されている。清掃手段２００は、放電ワイヤ１１０と対向電極１２０（図２参照）とに摺接しながら往動方向と復動方向（図７（ｃ）および図１０参照）に移動することで、放電ワイヤ１１０と対向電極１２０を清掃する。具体的には、図４に示すように、清掃手段２００は、支持部材２１０と、清掃部材の一例としてのフィルム２３０と、挟持部材および摺接部材の一例としての板状スポンジ２４０とを備えている。
【００３５】
＜１．支持部材＞
支持部材２１０は、図５に示すように、長方形の略平板状に形成される操作部２１１と、操作部２１１の下面から下方に延びる撓み変形可能な２つのアーム部２１２と、操作部２１１の下面から下方に突出し、２つのアーム部２１２の間に位置する上壁部２１６と、を主に備えている。
【００３６】
各アーム部２１２には、フィルム２３０や板状スポンジ２４０を支持するための第１突起２１３および第２突起２１４と、清掃手段２００の往動方向（グリッド電極１２１の延設方向において、フィルム２３０の先端が延びる方向）に向いて、フィルム２３０を支持する第１係合面２１５が形成されている。
【００３７】
各第１突起２１３は、第１係合面２１５から突出している。第１突起２１３は、略三角柱状に形成されており、フィルム２３０に形成される第１係合孔２３８を貫通した状態でフィルム２３０を支持する。より具体的には、各第１突起２１３は、スリット２３７で分離されたフィルム２３０の一方と他方をそれぞれ支持する。また、この第１突起２１３は、略Ｕ字状に折り曲げられた板状スポンジ２４０の両端部が互いに離れる方向に広がるのを抑えることにも寄与している。
【００３８】
各第２突起２１４は、第１係合面２１５から突出している。第２突起２１４は、四角柱状に形成されており、略Ｕ字状の板状スポンジ２４０の屈曲部分を挟み込むようにして支持する。
【００３９】
第１係合面２１５は、第１突起２１３の周りを囲うように形成されており、アーム部２１２の先端から基端に向かうにつれて徐々に深くなる（背面２１７側に凹む）ように形成されている。すなわち、第１係合面２１５は、アーム部２１２の先端から基端に向かうにつれて徐々に操作部２１１の長手方向の一方に傾斜する傾斜面を有している。これにより、この第１係合面２１５に押し付けられるフィルム２３０は、その先端部２３１と係合部２３３が放電ワイヤ１１０の延設方向でずれる（異なる位置に配置される）ようにグリッド電極１２１に対して斜めになった状態で、支持部材２１０で支持されるようになっている（図１０参照）。
【００４０】
また、第１突起２１３を挟むように配置される第１係合面２１５の下端部２１５Ａ，２１５Ｂ（図６参照）のうち第１突起２１３の外側に位置する下端部２１５Ａは、内側に位置する下端部２１５Ｂよりも一段高い位置（延設方向においてアーム部２１２よりもフィルム２３０側の位置）に配置されるように形成されている。つまり、第１係合面２１５は、下端部２１５Ａ，２１５Ｂにより段差状に形成される。
これにより、図６に示すように、第１係合面２１５に押し付けられるフィルム２３０は、その先端部２３１と係合部２３３とを繋ぐ方向（つまり先端側）から見て湾曲するようになっている。換言すると、フィルム２３０の両側端部２３４よりもスリット２３７が形成される中央部が凹むようにして、フィルム２３０が第１係合面２１５によって支持される。
【００４１】
なお、図６では、フィルム２３０の湾曲した様子が理解し易いように、フィルム２３０のみを第１突起２１３付近で切った断面図として示している。
【００４２】
上壁部２１６は、図９（ｂ）に示すように、清掃手段２００を上側フレーム１００に取り付けた状態で放電ワイヤ１１０よりも上側に位置し、２つのアーム部２１２の内側への撓み変形を規制している。
なお、図７（ｃ）に示すように、上壁部２１６の背面は、２つのアーム部２１２の背面と連続している（以下、これらを含めて、単に背面２１７という）。
【００４３】
図７（ａ）および（ｃ）に示すように、上壁部２１６の下面２１６Ａと、２つのアーム部２１２の内側面２１２Ａとの間には開口部２１８が形成される。開口部２１８は、第１係合面２１５から背面２１７へと通じている。
なお、開口部２１８は、上壁部２１６を貫通する貫通孔として形成することも可能である。
【００４４】
図７（ｃ）に示すように、上壁部２１６には、開口部２１８を通ったフィルム２３０の一部分（係合部２３３）が係合する第２係合面２１９が背面２１７側に形成される。
詳細には、第２係合面２１９は、上壁部２１６の背面２１７側の角部を斜めに切り欠くことで形成される。第２係合面２１９は、上壁部２１６の下面２１６Ａから背面２１７側に斜め上方に延びており、開口部２１８を通って背面２１７側に回り込むフィルム２３０の係合部２３３が係合（当接）するようになっている。
【００４５】
さらに、上壁部２１６の背面２１７には、フィルム２３０の係合部２３３に設けた第２係合孔２３９に嵌合する第３突起２２０が設けられている。したがって、開口部２１８を通って背面２１７に回り込んだ係合部２３３は、第２係合孔２３９を第３突起２２０に嵌合させることで、係合部２３３を弾性変形させた状態で背面２１７に保持することができる。
【００４６】
＜２．清掃部材＞
図５に示すように、清掃部材の一例としてのフィルム２３０は、撓み変形可能なＰＥＴ製のフィルムであり、グリッド電極１２１（図２参照）と接触する先端部２３１と、先端部２３１から連続して延びて、支持部材２１０の第１係合面２１５に支持される被支持部２３２と、被支持部２３２から突出し、先端部２３１から離れる方向に延びる係合部２３３と、先端部２３１と係合部２３３とを繋ぐ方向に直交する方向で対向（位置）する一対の側端部２３４とを有している。そして、一対の側端部２３４は、清掃手段２００が上側フレーム１００に装着された際に、一対のシールド電極１２２（図２参照）に圧接されるようになっている。これにより、前述した第１係合面２１５によって湾曲されたフィルム２３０が、さらに湾曲されるようになっている。
【００４７】
フィルム２３０の被支持部２３２は、支持部材２１０の第１係合面２１５に支持される面を含み、フィルム２３０の先端部２３１と両側端部２３４との間に切欠部２３５が形成されている。これにより、フィルム２３０の先端部２３１と両側端部２３４とが互いの撓みの影響を受けないので、フィルム２３０の先端部２３１と両側端部２３４とを精度よく、グリッド電極１２１および各シールド電極１２２に接触させることができるようになっている。
【００４８】
また、フィルム２３０には、被支持部２３２と係合部２３３との接続部付近で、放電ワイヤ１１０（図２参照）を通すための孔２３６が形成されるとともに、当該孔２３６から先端部２３１に抜けるように放電ワイヤ１１０の延設方向に沿ったスリット２３７が形成されている。孔２３６は、スリット２３７を基準にして線対称にならない形状に形成されている。これにより、例えば目視によって、フィルム２３０の表裏を間違えるといった誤組を防止して、孔２３６等の縁に形成されるバリによって良好に組み付けなくなることを防止することが可能となっている。
なお、誤組防止としては、孔２３６の形状を工夫することに代えて、左側の第１突起２１３と右側の第１突起２１３の形状が異なるように形成するとともに、これらの形状に合わせるように後述する各第１係合孔２３８の形状を異なるように形成してもよい。また、別途、誤組防止のための構成（たとえば、支持部材２１０において、スリット２３７に対して左右の一方側のみに突起を設け、この突起が入り込む孔をフィルム２３０に形成する等）を設けてもよい。
【００４９】
さらに、フィルム２３０には、スリット２３７を挟むようにスリット２３７を基準にして線対称に形成される第１係合孔２３８が形成されている。第１係合孔２３８は、図７（ａ），（ｂ）に示すように、支持部材２１０の第１突起２１３の３つの角部２１３Ａ，２１３Ｂ，２１３Ｃに係合する３つの隅部２３８Ａ，２３８Ｂ，２３８Ｃを有している。
【００５０】
３つの隅部２３８Ａ，２３８Ｂ，２３８Ｃは、３つの角部２１３Ａ，２１３Ｂ，２１３Ｃの位置から僅かな角度だけ回動させた位置に形成されている。具体的には、この回動の方向は、スリット２３７が開く方向（フィルム２３０の係合部２３３を中心にしてスリット２３７で分離された一方と他方とが互いに離れるように円弧状に移動する方向）とは逆方向である。
【００５１】
より具体的には、図示左側の３つの隅部２３８Ａ，２３８Ｂ，２３８Ｃは、図示左側の３つの角部２１３Ａ，２１３Ｂ，２１３Ｃの位置から図示反時計回りに回動した位置に形成されている。また、図示右側の３つの隅部２３８Ａ，２３８Ｂ，２３８Ｃは、図示右側の３つの角部２１３Ａ，２１３Ｂ，２１３Ｃの位置から図示時計回りに回動した位置に形成されている。これにより、フィルム２３０の各第１係合孔２３８を支持部材２１０の第１突起２１３に取り付けた際には、各隅部２３８Ａ，２３８Ｂ，２３８Ｃが各角部２１３Ａ，２１３Ｂ，２１３Ｃの位置に移動して合致することで、スリット２３７が僅かに開くようになっている（図４参照）。すなわち、アーム部２１２とフィルム２３０との取付部分（各第１突起２１３および各第１係合孔２３８）の形状の違いによってスリット２３７が開くように構成されている。
【００５２】
フィルム２３０の係合部２３３は、図７（ａ）および図７（ｂ）に示すように、支持部材２１０の開口部２１８よりも小さい幅を有する突出片として形成され、被支持部２３２から離れる側の端部に第２係合孔２３９を有している。
この第２係合孔２３９は、図７（ｃ）に示すように、支持部材２１０の開口部２１８を通って背面２１７側に出たフィルム２３０の係合部２３３を弾性変形させた状態で保持するために、支持部材２１０の背面２１７に設けた第３突起２２０が嵌合するためのものである。
【００５３】
＜３．挟持部材・摺接部材＞
図５に示すように、板状スポンジ２４０は、放電ワイヤ１１０（図２参照）に対してその延設方向に摺接する部材であり、略Ｕ字状に折り曲げられた状態で支持部材２１０の各第２突起２１４で挟持されている。そして、このように各第２突起２１４で挟持されることで、板状スポンジ２４０と支持部材２１０との間でフィルム２３０が挟持されるようになっている。
【００５４】
図８に示すように、上側フレーム１００の長溝１０１の一端側には、長溝１０１を形成する一対の側壁から突出するように形成される一対の係合壁１０２（１つのみ図示）が形成されている。そして、この係合壁１０２は、清掃手段２００を長溝１０１に取り付ける際にフィルム２３０の各切欠部２３５と当接するようになっており、これにより、フィルム２３０のスリット２３７がさらに開いて、孔２３６に放電ワイヤ１１０をスムーズに入り込ませることが可能となっている。
【００５５】
また、図９（ａ），（ｂ）に示すように、上側フレーム１００の長溝１０１内には、支持部材２１０の各アーム部２１２（各第２突起２１４）を互いに近付く方向に押す一対のテーパ面１０３が形成されている。これにより、清掃手段２００を長溝１０１の一端側（係合壁１０２側）から挿入した後、他端側にスライドさせることで、図９（ｂ）に示すように、支持部材２１０の各アーム部２１２が近付いて、フィルム２３０のスリット２３７が閉じるようになっている。詳しくは、一対のテーパ面１０３が各アーム部２１２（各第２突起２１４）を近付く方向に押して、各アーム部２１２に一体的に設けられる各第１突起２１３の２つの角部２１３Ａ，２１３Ｄ（図７参照）がフィルム２３０の各係合孔の２つの隅部２３８Ａ，２３８Ｄを内側に押すことで、フィルム２３０のスリット２３７が閉じるようになっている。これにより、清掃手段２００が、グリッド電極１２１を清掃するための清掃位置に位置したときには、スリット２３７が閉じられて、グリッド電極１２１の全体と摺接するので、グリッド電極１２１が良好に清掃されるようになっている。また、このように支持部材２１０の各アーム部２１２が近付くことで、板状スポンジ２４０（図４参照）が押し縮められるので、この板状スポンジ２４０で放電ワイヤ１１０を強く擦って、清掃を良好に行うことが可能となっている。
【００５６】
また、図１０に示すように、上側フレーム１００の他端側には、フィルム２３０の先端部２３１が上側フレーム１００の一部（詳しくは、グリッド電極１２１の放電を規制する規制部１０４）に到達したと同時に、支持部材２１０に当接する係止部１０５が設けられている。より具体的には、係止部１０５に支持部材２１０が当接した状態においては、フィルム２３０の先端部２３１と規制部１０４との間には微小な隙間が形成されている。
【００５７】
これにより、往動方向にフィルム２３０を移動させる場合において、フィルム２３０の先端部２３１が規制部１０４に当接して折れ曲がることが防止されるとともに、放電に寄与するグリッド電極１２１の部位（規制部１０４と接触していない部位）を良好に清掃することが可能となっている。
【００５８】
以上によれば、本実施形態において以下のような効果を得ることができる。
支持部材２１０がフィルム２３０の被支持部２３２を支持する第１係合面２１５を有し、板状スポンジ２４０との間でフィルム２３０を挟持するので、支持部材２１０を往動方向に移動する際には、フィルム２３０の支持部材２１０側への相対的な移動が第１係合面２１５により押さえられる。一方、支持部材２１０が復動方向に移動する際には、支持部材２１０の開口部２１８を通り、背面２１７（第１係合面２１５とは反対側を向いた面）に回り込んだフィルム２３０の係合部２３３が第２係合面２１９と係合するので、フィルム２３０に作用する係合解除力に抵抗することが可能となる。したがって、支持部材２１０が往動方向と復動方向のいずれの方向に移動する場合でも、支持部材２１０がフィルム２３０を確実に支持し、フィルム２３０によるグリッド電極１２１の円滑な清掃が可能となる。
【００５９】
フィルム２３０の係合部２３３は、弾性変形した状態で支持部材２１０の第２係合面２１９に係合することで、支持部材２１０の開口部２１８から背面２１７側に出た部分が第２係合面２１９に向けて付勢される。そのため、特に、支持部材２１０が復動方向に移動する際に、支持部材２１０がフィルム２３０と板状スポンジ２４０をより確実に支持し、フィルム２３０による対向電極のより円滑な清掃と板状スポンジ２４０による放電ワイヤ１１０のより円滑な清掃が可能となる。
【００６０】
係合部２３３の幅を支持部材２１０の開口部２１８の幅よりも小さくしたので、開口部２１８に係合部２３３を挿通させる際、係合部２３３を湾曲させることなく挿通できるので、清掃手段２００の組み立てを簡単に行うことができる。
【００６１】
第１係合面２１５を段差状、つまり第１係合面２１５に凹部を有する構成とすることで、フィルム２３０を先端側から見て湾曲するように支持できるので、補強フレーム等を設けない簡易な構成でフィルム２３０の剛性を向上させることができる。
より具体的には、本実施形態のように、フィルム２３０がグリッド電極１２１に対して斜めに配置される構成においては、グリッド電極１２１上に固着した異物を先端部２３１で強く擦って削り取ることができるものの、その際に生じる摩擦抵抗によって、フィルム２３０が折れ曲がってしまう可能性がある。しかし、フィルム２３０が湾曲するように構成されることにより、清掃時におけるフィルム２３０の剛性を高めることが可能となる。
【００６２】
フィルム２３０の係合部２３３に第２係合孔２３９を設け、この第２係合孔２３９に嵌合する第３突起２２０を支持部材２１０の背面２１７に設けたことにより、支持部材２１０の開口部２１８に挿通され、背面２１７に回り込んだ係合部２３３を確実に保持することが可能となる。
【００６３】
清掃手段２００が、放電ワイヤ１１０を清掃する板状スポンジ２４０を備えるので、清掃手段２００を移動させるだけで、放電ワイヤ１１０を同時に清掃することができる。また、フィルム２３０が支持部材２１０の第１係合面２１５と板状スポンジ２４０との間で挟持されることにより、板状スポンジ２４０が支持部材２１０からのフィルム２３０の離脱防止を図る挟持部材を兼ねるので、部品点数の削減を図ることができる。
【００６４】
なお、本発明は前記実施形態に限定されることなく、以下に例示するように様々な形態で利用できる。
前記実施形態では、２つの下端部２１５Ａと２つの下端部２１５Ｂにより、第１係合面２１５の一部分でフィルム２３０を支持する構成としたが、フィルム２３０の湾曲形状に沿って第１係合面２１５を湾曲させ、フィルム２３０の被支持部２３２を第１係合面２１５の面により支持する構成とすることもできる。
【００６５】
前記実施形態では、上側フレーム１００の係合壁１０２にフィルム２３０の切欠部２３５が当接するように構成したが、本発明はこれに限定されず、当接しないように構成してもよい。この場合であっても、支持部材２１０の第１突起２１３にフィルム２３０の第１係合孔２３８を取り付けたときに、スリット２３７を開くことができるので、この開いたスリット２３７を通して孔２３６に放電ワイヤ１１０を入り込ませることができる。
【００６６】
前記実施形態では、支持部材２１０の第１係合面２１５との間でフィルム２３０を挟持する挟持部材として、放電ワイヤ１１０と摺接する板状スポンジ２４０を用いたが、放電ワイヤ１１０や対向電極１２０と摺接しない部材を挟持部材として別途設けてもよい。
【００６７】
前記実施形態では、グリッド電極１２１および各シールド電極１２２にフィルム２３０を摺接させるようにしたが、本発明はこれに限定されず、例えばグリッド電極のみにフィルムを摺接させてもよい。
前記実施形態では、清掃部材としてＰＥＴ製のフィルム２３０を採用したが、本発明はこれに限定されず、その他の樹脂製のフィルムでもよい。
【００６８】
前記実施形態では、切欠部２３５をＶ字状の凹部として形成したが、本発明はこれに限定されず、例えばスリット状などに形成してもよい。
前記実施形態では、挟持部材および摺接部材として板状スポンジ２４０を採用したが、本発明はこれに限定されず、例えば板状のフェルトなどを採用してもよい。
【００６９】
前記実施形態では、カラープリンタ１に本発明を適用したが、本発明はこれに限定されず、その他の画像形成装置、例えば複写機や複合機などに本発明を適用してもよい。
【符号の説明】
【００７０】
５４      帯電器
１００    上側フレーム
１１０    放電ワイヤ
１２０    対向電極
１２１    グリッド電極
１２２    シールド電極
２００    清掃手段
２１０    支持部材
２１２    アーム部
２１２Ａ  内側面
２１３    第１突起
２１４    第２突起
２１５    第１係合面
２１６    上壁部
２１６Ａ  下面
２１７    背面
２１８    開口部
２１９    第２係合面
２３０    フィルム
２３１    先端部
２３２    被支持部
２３３    係合部
２３４    側端部
２３６    孔
２３７    スリット
２３８    第１係合孔
２３９    第２係合孔
２４０    板状スポンジ
【図１】
2011137948.tif 000003
【図２】
2011137948.tif 000004
【図３】
2011137948.tif 000005
【図４】
2011137948.tif 000006
【図５】
2011137948.tif 000007
【図６】
2011137948.tif 000008
【図７】
2011137948.tif 000009
【図８】
2011137948.tif 000010
【図９】
2011137948.tif 000011
【図１０】
2011137948.tif 000012